(57)【要約】【課題】２枚取り検出や宛名の窓隠れの検出率を上昇することができ、誤区分を低減することができる。【解決手段】両面にスキャナを搭載したシステムにおいて、定形フォーマットの郵便物の特徴である差出人エリアと差出人名を、背面の特定フォーマット文字列と一緒に登録して、認識処理に利用できる設定ファイルとして保存する。最初に登録されている差出人を順番に認識処理でチェックを行い、一致すればその差出人とセットで登録してある、背面フォーマットの認識チェックを行う。登録されているどの差出人とも一致しなければ、通常の認識処理を行う。差出人と一致し、背面フォーマットと一致しなかった場合は、２枚取りと判定しリジェクトする。【選択図】図１
2007222744.tif 000002
【特許請求の範囲】
【請求項１】
搬送される郵便物から宛名情報を自動的に読取り、この郵便物を宛名情報に基づいて区分し、かつ同一の差出人により定形フォーマットの大量の郵便物を処理する郵便物の宛名読取区分機において、
定形フォーマットの大量の郵便物に対する差出人名と差出人エリアと背面フォーマットとを記憶する記憶手段と、
上記搬送される郵便物の両面の画像を読取る読取手段と、
この読取手段の読取画像に対して、上記記憶手段に記憶されている差出人エリアにより差出人名を認識する認識手段と、
この認識手段により認識した差出人名と上記差出人エリアに対応して上記記憶手段に記憶されている差出人名とが一致するか否かを判断する第１の判断手段と、
この第１の判断手段により一致する差出人名が記憶されていると判断された際に、上記読取手段の読取画像と上記記憶手段の差出人名に対応して記憶されている背面フォーマットとを比較することにより、郵便物の二枚取りを判断する第２の判断手段と、
を具備したことを特徴とする宛名読取区分機。
【請求項２】
搬送される郵便物から宛名情報を自動的に読取り、この郵便物を宛名情報に基づいて区分し、かつ同一の差出人により定形フォーマットの大量の郵便物を処理する郵便物の宛名読取区分機において、
定形フォーマットの大量の郵便物に対する差出人名と差出人エリアと郵便物の長さとを記憶する記憶手段と、
上記搬送される郵便物の両面の画像を読取る読取手段と、
この読取手段の読取画像に対して、上記記憶手段に記憶されている差出人エリアにより差出人名を認識する認識手段と、
この認識手段により認識した差出人名と上記差出人エリアに対応して上記記憶手段に記憶されている差出人名とが一致するか否かを判断する第１の判断手段と、
この第１の判断手段により一致する差出人名が記憶されていると判断された際に、上記読取手段の読取画像による郵便物の長さと上記記憶手段の差出人名に対応して記憶されている郵便物の長さとを比較することにより、郵便物の二枚取りを判断する第２の判断手段と、
を具備したことを特徴とする宛名読取区分機。
【請求項３】
搬送される郵便物から宛名情報を自動的に読取り、この郵便物を宛名情報に基づいて区分し、かつ同一の差出人により定形フォーマットの大量の郵便物を処理する郵便物の宛名読取区分機において、
定形フォーマットの大量の郵便物に対する差出人名と差出人エリアと宛名用窓の有りを示すデータとを記憶する記憶手段と、
上記搬送される郵便物の両面の画像を読取る読取手段と、
この読取手段の読取画像に対して、上記記憶手段に記憶されている差出人エリアにより差出人名を認識する認識手段と、
この認識手段により認識した差出人名と上記差出人エリアに対応して上記記憶手段に記憶されている差出人名とが一致するか否かを判断する判断手段と、
この判断手段により一致する差出人名が記憶されていると判断された際に、上記読取手段の読取画像により宛名を判定する際に、宛名用窓による宛名の窓隠れを考慮して郵便物の宛名を判定する判定手段と、
を具備したことを特徴とする宛名読取区分機。
【請求項４】
搬送される郵便物から宛名情報を自動的に読取り、この郵便物を宛名情報に基づいて区分し、かつ同一の差出人により定形フォーマットの大量の郵便物を処理する郵便物の宛名読取区分機において、
定形フォーマットの大量の郵便物に対する差出人名と差出人エリアと背面フォーマットと郵便物の長さと宛名用窓の有りを示すデータとを記憶する記憶手段と、
上記搬送される郵便物の両面の画像を読取る読取手段と、
この読取手段の読取画像に対して、上記記憶手段に記憶されている差出人エリアにより差出人名を認識する認識手段と、
この認識手段により認識した差出人名と上記差出人エリアに対応して上記記憶手段に記憶されている差出人名とが一致するか否かを判断する第１の判断手段と、
この第１の判断手段により一致する差出人名が記憶されていると判断された際に、上記読取手段の読取画像と上記記憶手段の差出人名に対応して記憶されている背面フォーマットとを比較することにより、郵便物の二枚取りを判断する第２の判断手段と、
上記第１の判断手段により一致する差出人名が記憶されていると判断された際に、上記読取手段の読取画像により宛名を判定する際に、宛名用窓による宛名の窓隠れを考慮して郵便物の宛名を判断する第３の判断手段と、
を具備したことを特徴とする宛名読取区分機。
【発明の詳細な説明】
【技術分野】
【０００１】
本発明は、搬送される郵便物から宛名情報を自動的に読取り、この郵便物を宛名情報に基づいて区分し、かつ同一の差出人により定形フォーマットの大量の郵便物を処理する郵便物の宛名読取区分機に関する。
【背景技術】
【０００２】
従来、宛名読取区分機において、ダイレクトメール等、同一書式の大量の郵便物を処理する際に、差出人の住所等を誤って宛名と判断して誤区分が生じる可能性があった。そこで、このような誤区分の発生を抑制するために、差出人名と差出人の住所の領域をあらかじめ登録しておき、読取り対象から外していた。
【０００３】
この場合、２枚取りや窓隠れによる誤区分については効果がなかった。
【０００４】
また、郵便物の供給部から読取り用のスキャナに到達するまでの搬送により、摩擦を利用した長さのチェックなどで２枚取りの判定を行っていた。
【０００５】
この場合、のりが付いた書状等の２枚取りチェックするのは難しかった。
【特許文献１】特開２００１−０３８３０３号公報
【発明の開示】
【発明が解決しようとする課題】
【０００６】
この発明は、よる２枚取り検出や宛名の窓隠れの検出率を上昇することができ、誤区分を低減することができる宛名読取区分機を提供することを目的としている。
【課題を解決するための手段】
【０００７】
この発明は、搬送される郵便物から宛名情報を自動的に読取り、この郵便物を宛名情報に基づいて区分し、かつ同一の差出人により定形フォーマットの大量の郵便物を処理する郵便物の宛名読取区分機において、定形フォーマットの大量の郵便物に対する差出人名と差出人エリアと背面フォーマットとを記憶する記憶手段と、上記搬送される郵便物の両面の画像を読取る読取手段と、この読取手段の読取画像に対して、上記記憶手段に記憶されている差出人エリアにより差出人名を認識する認識手段と、この認識手段により認識した差出人名と上記差出人エリアに対応して上記記憶手段に記憶されている差出人名とが一致するか否かを判断する第１の判断手段と、この第１の判断手段により一致する差出人名が記憶されていると判断された際に、上記読取手段の読取画像と上記記憶手段の差出人名に対応して記憶されている背面フォーマットとを比較することにより、郵便物の二枚取りを判断する第２の判断手段とを有する。
【０００８】
この発明は、搬送される郵便物から宛名情報を自動的に読取り、この郵便物を宛名情報に基づいて区分し、かつ同一の差出人により定形フォーマットの大量の郵便物を処理する郵便物の宛名読取区分機において、定形フォーマットの大量の郵便物に対する差出人名と差出人エリアと郵便物の長さとを記憶する記憶手段と、上記搬送される郵便物の両面の画像を読取る読取手段と、この読取手段の読取画像に対して、上記記憶手段に記憶されている差出人エリアにより差出人名を認識する認識手段と、この認識手段により認識した差出人名と上記差出人エリアに対応して上記記憶手段に記憶されている差出人名とが一致するか否かを判断する第１の判断手段と、この第１の判断手段により一致する差出人名が記憶されていると判断された際に、上記読取手段の読取画像による郵便物の長さと上記記憶手段の差出人名に対応して記憶されている郵便物の長さとを比較することにより、郵便物の二枚取りを判断する第２の判断手段とを有する。
【０００９】
この発明は、搬送される郵便物から宛名情報を自動的に読取り、この郵便物を宛名情報に基づいて区分し、かつ同一の差出人により定形フォーマットの大量の郵便物を処理する郵便物の宛名読取区分機において、定形フォーマットの大量の郵便物に対する差出人名と差出人エリアと宛名用窓の有りを示すデータとを記憶する記憶手段と、上記搬送される郵便物の両面の画像を読取る読取手段と、この読取手段の読取画像に対して、上記記憶手段に記憶されている差出人エリアにより差出人名を認識する認識手段と、この認識手段により認識した差出人名と上記差出人エリアに対応して上記記憶手段に記憶されている差出人名とが一致するか否かを判断する判断手段と、この判断手段により一致する差出人名が記憶されていると判断された際に、上記読取手段の読取画像により宛名を判定する際に、宛名用窓による宛名の窓隠れを考慮して郵便物の宛名を判定する判定手段とを有する。
【００１０】
この発明は、郵便物から宛名情報を自動的に読取り、この郵便物を宛名情報に基づいて区分し、かつ同一の差出人により定形フォーマットの大量の郵便物を処理する郵便物の宛名読取区分機において、定形フォーマットの大量の郵便物に対する差出人名と差出人エリアと背面フォーマットと郵便物の長さと宛名用窓の有りを示すデータとを記憶する記憶手段と、上記搬送される郵便物の両面の画像を読取る読取手段と、この読取手段の読取画像に対して、上記記憶手段に記憶されている差出人エリアにより差出人名を認識する認識手段と、この認識手段により認識した差出人名と上記差出人エリアに対応して上記記憶手段に記憶されている差出人名とが一致するか否かを判断する第１の判断手段と、この第１の判断手段により一致する差出人名が記憶されていると判断された際に、上記読取手段の読取画像と上記記憶手段の差出人名に対応して記憶されている背面フォーマットとを比較することにより、郵便物の二枚取りを判断する第２の判断手段と、上記第１の判断手段により一致する差出人名が記憶されていると判断された際に、上記読取手段の読取画像により宛名を判定する際に、宛名用窓による宛名の窓隠れを考慮して郵便物の宛名を判断する第３の判断手段とを有する。
【発明の効果】
【００１１】
この発明は、２枚取り検出や宛名の窓隠れの検出率を上昇することができ、誤区分を低減することができる宛名読取区分機を提供できる。
【発明を実施するための最良の形態】
【００１２】
以下、この発明の一実施形態について図面を参照して説明する。
【００１３】
図面を参照してこの発明の実施形態の郵便物読取区分機を有する紙葉類処理装置を説明する。
【００１４】
この紙葉類処理装置は、読取区分機１とビデオコーディングシステム（ＶＣＳ）２によって構成されている。
【００１５】
読取区分機１は、紙葉類（郵便物）Ｐ上の区分情報としてのあて先（あて名、郵便番号）を読取り、その読取内容から区分情報を認識し、この区分情報の認識結果あるいはビデオコーディングシステム２からの区分情報によって紙葉類Ｐを区分する区分機であり、各紙葉類Ｐに認識結果に対応するバーコードを印刷するものである。
【００１６】
読取区分機１は、たとえば、複数の紙葉類がバッチ（ロット）単位あるいはこのバッチに対してリジェクトされた紙葉類単位でセットされ、このセットされた紙葉類Ｐ、…を１通ずつ供給する供給部（供給手段）１０、この供給部１０によって供給される１通ずつの紙葉類Ｐの表裏両面のそれぞれの全体の画像を読取るスキャナ部（撮像手段）１１、このスキャナ部１１を通過した紙葉類Ｐ上に付与されている画像番号に対応するバーコードを読取る光電変換部としてのＩＤバーコード読取部１２、このＩＤバーコード読取部１２を通過した紙葉類Ｐ上に区分情報に対応するバーコードあるいは画像番号に対応するバーコードをプリントするバーコードプリンタ部１３、このバーコードプリンタ部１３を通過した紙葉類Ｐを区分情報の認識結果あるいはビデオコーディングシステム２からのコードに対応した所定の区分情報（区分箱番号）に基づき区分したり、区分情報の認識できなかった紙葉類Ｐをリジェクト庫へ区分する区分部１４、スキャナ部１１からの画像から区分情報を認識（オンライン）したり、あるいはＶＣＳ制御部３からのリジェクト画像から区分情報を認識（オフライン）する認識部（認識手段）１５、および上記各部を制御する制御部（判断手段、処理手段）１６によって構成されている。
【００１７】
上記供給部１０、スキャナ部１１、ＩＤバーコード読取部１２、バーコードプリンタ部１３、および区分部１４は、搬送区分部本体１ａ内に設けられている。
【００１８】
上記スキャナ部１１は、上記紙葉類Ｐの表裏両面の画像データを読取り、光電変換素子としての撮像センサ（図示しない）を２個有し、それぞれの撮像センサは撮像窓（図示しない）を介して紙葉類Ｐの表裏の画像を撮像するようになっている。
【００１９】
上記認識部１５は、２４個の認識ユニット１５ａ、…により構成され、各認識ユニット１５ａ、…がそれぞれ１つの紙葉類ごとの画像に対する区分情報を認識するものである。
【００２０】
上記認識部１５は、制御部１６の制御によりスキャナ部１１からの読取データが供給されて認識処理している際に、制御部１６の制御により、２４個の認識ユニット１５ａ、…の一部たとえば４つの認識ユニット１５ａ、…をオフライン用に用い、他の２０個の認識ユニット１５ａ、…をオンライン用に用いるようになっている。
【００２１】
また、制御部１６は、バッチ（ロット）単位の紙葉類の区分処理におけるリジェクトされた紙葉類に対する、オフライン用の認識ユニット１５ａ、…による再認識処理と、ＶＣＤ６、…による入力処理が終了した際に、図示しない表示部でその旨を案内表示するものである。この案内に応じて、リジェクトされた紙葉類Ｐの再供給が行われるようになっている。
【００２２】
上記認識部１５は、図２に示すように、差出人名を判定する差出人名判定部１５ｂ、二枚取りを判定する第１の二枚取り判定部１５ｃ、二枚取りを判定する第２の二枚取り判定部１５ｄ、宛名領域を判定する宛名領域判定部１５ｅ、メモリ１５ｆ、及び宛名判定部としての認識ユニット１５ａ、…によって構成されている。
【００２３】
メモリ１５ｆには、図３に示すように、定形フォーマットの大量の紙葉類を扱う差出人名に基づいて、少なくとも１つの差出人名が記載される差出人名エリア、背面の特定フォーマット文字列、紙葉類の長さ、宛名窓の有無、宛名窓の位置が登録されている。
【００２４】
ビデオコーディングシステム２は、ＶＣＳ制御部３、大容量記憶装置４、ビデオコーディングデスク（ＶＣＤ）６、…によって構成されている。
【００２５】
ＶＣＳ制御部３は、認識部１５からの区分情報（宛名）を認識できなかった紙葉類の画像（表面側の画像）を一旦大容量記憶装置４に記憶するようになっている。
【００２６】
また、ＶＣＳ制御部３は、大容量記憶装置４からの区分情報を認識できなかった紙葉類の画像を認識部５のオフライン用の認識ユニット１５ａ、…へ供給したり、認識部５のオフライン用の認識ユニット１５ａ、…により認識されなかった紙葉類の画像を画像メモリ（図示しない）からビデオコーディングデスク（ＶＣＤ）６、…に分配するものである。
【００２７】
また、ＶＣＳ制御部３は、認識部５のオフライン用の認識ユニット１５ａ、…からの認識結果、ビデオコーディングデスク（ＶＣＤ）６、…からの入力結果を制御部１６へ返信するようになっている。
【００２８】
大容量記憶装置４は、認識部１５の認識ユニット１５ａ、…からＶＣＳ制御部３を介して供給される区分情報を認識できなかった紙葉類の画像を蓄積するものである。
【００２９】
ビデオコーディングデスク（ＶＣＤ）６、…は、ＣＲＴ等の画像表示部６ａとキーボード等の入力部６ｂとから構成されており、大容量記憶装置４からの画像が画像表示部６ａで表示され、この表示されている画像の区分情報に対応するコードをオペレータが入力部６ｂにより入力するようになっている。この入力部６ｂの入力された区分情報に対応するコードは画像番号とともにＶＣＳ制御部３を介して制御部１６に出力される。
【００３０】
次に、区分処理の流れについて、図４、図５に示すフローチャートを参照しつつ説明する。この紙葉類処理装置では、全ての紙葉類に区分情報コードをバーコードで印刷するために、同じ紙葉類がこの紙葉類処理装置で２回区分される。
【００３１】
最初の１回は、供給部１０から紙葉類Ｐを供給し（ＳＴ１）、１通ずつスキャナ部１１で紙葉類Ｐの両面を撮像し（ＳＴ２）、認識部１５はその両面の画像から宛名を判定処理し（ＳＴ３）、読み取ることのできた紙葉類Ｐにのみ区分情報のバーコードをバーコードプリンタ部１３で印刷後（ＳＴ４、５）、区分部１４において区分情報毎の区分口に区分する（ＳＴ６）。
【００３２】
リジェクトされた紙葉類Ｐには管理番号のバーコード（ＩＤバーコード）を印刷後（ＳＴ７）、区分部１４においてリジェクト用の区分口に区分する（ＳＴ８）。リジェクト紙葉類の撮像画像は、リジェクト紙葉類に印刷された管理番号と一緒にＶＣＳ制御部３を経由して大容量記憶装置４に格納される（ＳＴ９）。制御部１６は供給から区分までの全体の制御を行う。
【００３３】
最初の区分時にリジェクトされた紙葉類Ｐに対する２回目の区分の前に、認識部１５のオフライン用の認識ユニット１５ａ、…でのリジェクト画像の再読取（認識）処理が行われ（ＳＴ１０）、この再読取処理により読取れなかったリジェクト紙葉類の区分情報がＶＣＳ２において入力され（ＳＴ１１、１２）、ＶＣＳ制御部３により管理番号から区分情報を引き出すテーブルが作成され、読取区分機１の制御部１６に転送される（ＳＴ１３）。
【００３４】
この際、認識部１５のオフライン用の認識ユニット１５ａ、…では、受信したリジェクト画像の再読取（認識）処理を行い、ＶＣＳ制御部３に返信する（ＳＴ１０）。ＶＣＳ制御部３では返信されたもののうち読み取れたものについては（ＳＴ１１）、管理番号と区分情報の対応をテーブルに追加され、転送される（ＳＴ１４）。
【００３５】
上記ステップ１２において、読み取れなかったものについては、ＶＣＳ制御部３が、大容量記憶装置４からリジェクト画像および管理番号を読み込み、リジェクト画像待ちのＶＣＤ６に分配する。
【００３６】
リジェクト画像を受け取ったＶＣＤ６では、画像表示部６ａにその画像を表示し、オペレータがそれを見ながら区分情報を入力する。一通の入力が終わるとその区分情報はＶＣＳ制御部３に転送され、ＶＣＳ制御部３では管理番号と区分情報の対応をテーブルに追加する。
【００３７】
再読取処理では、認識部１５のオンライン用の認識ユニット１５ａ、…で使用されたパラメータやアルゴリズムとは別のものを使用し、あるいは同じものを使用しより深く、時間をかけて読取処理を行う。
【００３８】
２回目の区分では、供給された紙葉類ＰはＩＤバーコード読取部１２でＩＤバーコードを読み取り、その管理番号で区分情報をテーブルから取り出し、バーコードプリンタ部１３でそのバー紙葉類Ｐの両面の画像のビットマップデータ（ドットマップデータ）に対する斜影を取り文字列の領域を判定し（ＳＴ３１）、この領域とあらかじめメモリ１５ｆに記憶されている複数の定形フォーマットの種々の差出人領域とが一致するかを判別する（ＳＴ３２）。
【００３９】
この判別の結果、一致する領域がなかった場合、宛名領域判定部１５ｅによる通常の宛名領域判定処理に進む（ＳＴ３３）。
【００４０】
上記ステップ３２による判別の結果、一致する領域があった場合、差出人名判定部１５ｂは、一致する領域に対して、文字認識処理により文字列としての差出人名の候補とし（ＳＴ３４）、この候補と一致する差出人名がメモリ１５ｆに登録されているかをチェックする（ＳＴ３５）。
【００４１】
このチェックの結果、差出人名判定部１５ｂは候補と一致する差出人名に対応してメモリ１５ｆに登録されている背面の特定フォーマット文字列、紙葉類Ｐの長さ、宛名の窓隠れの可能性有りを読み出す（ＳＴ３６）。
【００４２】
これにより、第１の二枚取り判定部１５ｃは差出人エリアから読取った差出人名に対応してメモリ１５ｆに登録されている背面フォーマットと上記紙葉類Ｐから読取った背面フォーマット（図７参照）が一致している場合（ＳＴ３７）、二枚取りでないと判定し、宛名判定処理に進む（ＳＴ３３）。
【００４３】
上記ステップ３２による判別の結果、第１の二枚取り判定部１５ｃは差出人エリアから読取った差出人名に対応してメモリ１５ｆに登録されている背面フォーマットと上記紙類Ｐから読取った背面フォーマットが一致していない場合（ＳＴ３７）、２枚取りと判定し（ＳＴ３８）、その紙葉類Ｐのリジェクトを制御部１６に通知する。
【００４４】
また、第２の二枚取り判定部１５ｄは差出人エリアから読取った差出人名に対応してメモリ１５ｆに登録されている紙葉類Ｐの長さと上記紙葉類Ｐから読取った紙葉類Ｐの長さが一致している場合（ＳＴ３９）、二枚取りでないと判定し、宛名判定処理に進む（ＳＴ４１）。
【００４５】
上記ステップ３２による判別の結果、第２の二枚取り判定部１５ｄは、図８に示すように、差出人エリアから読取った差出人名に対応してメモリ１５ｆに登録されている紙葉類Ｐの長さと上記紙葉類Ｐに対して検出した紙葉類Ｐの長さが一致していない場合（ＳＴ３９）、２取りと判定し（ＳＴ４０）、その紙葉類Ｐをリジェクトする。
【００４６】
また、宛名判定部１５ｅは差出人名判定部１５ｂにより宛名の窓隠れの可能性ありが供給されている際に、窓隠れ（図９参照）に考慮した宛名の判定を行う。（ＳＴ４１）
また、宛名判定部１５ｅは差出人名判定部１５ｂにより宛名の窓隠れの可能性なしが供給されている際に、窓隠れを考慮せずに宛名の判定を行う。（ＳＴ４１）
上記したように、２枚取り検出や宛名の窓隠れの検出率を上昇することができ、誤区分を低減することができる。
【００４７】
すなわち、
（１）最初に登録されている差出人を順番に認識処理でチェックを行い、一致すればその差出人とセットで登録してある、背面フォーマットの認識チェックを行う。登録されているどの差出人とも一致しなければ、通常の認識処理を行う。差出人と一致し、背面フォマットと一致しなかった場合は、２枚取りと判定しリジェクトする。  また、差出人と一致し、背面フォーマットと一致した場合は、通常の認識処理を行う。
【００４８】
（２）（１）と同様に差出人エリアと差出人名を、書状の長さと一緒に登録しておく。
【００４９】
この場合は、一面の認識処理のみで可で、登録してある書状の長さよりも一定の値より長ければ、２枚取りと判定しリジェクト処理を行う。
【００５０】
（３）（１）と同様に差出人エリアと差出人名を、窓付き書状であるかどうかを一緒に登録しておく。また、認識処理の方法として、窓隠れ可能性有りの場合と、窓隠れ可能性無しの２種類の認識方法をあらかじめ用意しておく。
【００５１】
すなわち、最初に登録されている差出人を順番に認識処理でチェックを行い、一致すれば窓有無の情報を事前にわかった状態で、認識処理を使い分けることができ、窓隠れによる誤区分を減らすことができる。
【００５２】
このようにして、差出人登録情報を利用して誤区分を減らすことができる。
【図面の簡単な説明】
【００５３】
【図１】この発明の一実施形態を説明するための郵便物読取区分機の概略構成を示す図。
【図２】認識部の概略構成を示すブロック図。
【図３】メモリの登録例を説明するための図。
【図４】区分処理例を説明するためのフローチャート。
【図５】区分処理例を説明するためのフローチャート。
【図６】認識部の処理例を説明するためのフローチャート。
【図７】背面フォーマットの文字列の例を説明するための図。
【図８】登録されている紙葉類の長さと検出した紙葉類の長さが一致しない場合の例を説明するための図。
【図９】宛名の窓隠れ例を説明するための図。
【符号の説明】
【００５４】
１…読取区分機  １５…認識部  １５ａ…認識ユニット  １５ｂ…差出人名判定部  １５ｃ…第１の二枚取り判定部  １５ｄ…第２の二枚取り判定部  １５ｅ…宛名領域判定部  １５ｆ…メモリ  １６…制御部
【図１】
2007222744.tif 000003
【図２】
2007222744.tif 000004
【図３】
2007222744.tif 000005
【図４】
2007222744.tif 000006
【図５】
2007222744.tif 000007
【図６】
2007222744.tif 000008
【図７】
2007222744.tif 000009
【図８】
2007222744.tif 000010
【図９】
2007222744.tif 000011